【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
それぞれが合成のグラフィカル状態で表現される複数のプリミティブでグラフィカル画像を生成するコンピュータの命令シーケンスを分析するグラフィカル画像生成分析方法であって、
Ａ．前記命令シーケンスによって表現される少なくとも１つのプリミティブを識別するステップと、
Ｂ．前記プリミティブが表現される合成グラフィカル状態を識別するステップと、
Ｃ．前記命令シーケンスのグラフィカル画像生成特徴を表す出力信号を生成するステップであって、前記出力信号は、前記合成グラフィカル状態を識別するステップ（Ｂ）で識別した少なくとも１つの前記合成グラフィカル状態を示すとともに、前記合成グラフィカル状態のそれぞれに対して、その合成グラフィカル状態おける前記命令シーケンスによって表現される少なくとも１つの前記プリミティブとを示す出力信号を生成するステップと、を含むグラフィカル画像生成分析方法。
【請求項２】
前記命令シーケンスをデジタルデータ処理システムで実行するステップと、
前記命令シーケンスによって表現される前記プリミティブを識別するために、プリミティブを識別するステップ（Ａ）における実行を監視するステップと、
前記プリミティブが表現される前記合成グラフィカル状態を識別するために、合成グラフィカル状態を識別するステップ（Ｂ）における実行を監視するステップと、を含む請求項１に記載のグラフィカル画像生成分析方法。
【請求項３】
前記命令シーケンスがソースコードを含み、前記命令シーケンスの少なくともグラフィカル画像生成呼出しを識別するソースコードインタプリタで前記命令シーケンスを解釈するステップと、
前記命令シーケンスによって表現される前記プリミティブを識別するステップ（Ａ）における解釈を監視するステップと、
前記プリミティブが表現される前記合成グラフィカル状態を識別するステップ（Ｂ）における解釈を監視するステップと、を含む請求項１に記載のグラフィカル画像生成分析方法。
【請求項４】
動的および静的記憶手段に、前記出力信号を生成するステップ（Ｃ）により生成された前記特徴を表す信号を記憶するステップと、
前記出力信号を生成するステップ（Ｃ）で生成された前記特徴を表す信号に基づいて表示信号を生成するステップであって、
前記表示信号は、合成グラフィカル状態を識別するステップ（Ｂ）で識別された少なくとも１つの前記合成グラフィカル状態を示し、前記合成グラフィカル状態のそれぞれに対して、その合成グラフィカル状態における前記命令シーケンスによって表現される少なくとも１つの前記プリミティブを示す表示信号を生成するステップと、を含む請求項１に記載のグラフィカル画像生成分析方法。
【請求項５】
合成グラフィカル状態を識別するステップ（Ｂ）が、それぞれの合成グラフィカル状態に対して、異なる合成状態でプリミティブを表現した後の合成状態でプリミティブが表現された回数をカウントするステップを含み、
前記出力信号を生成するステップ（Ｃ）が、前記合成グラフィカル状態のそれぞれに対して、前記特徴を表す信号を生成して、異なる合成状態でプリミティブを前記表現した後の合成状態でプリミティブが表現された回数を示すステップを含む請求項１に記載のグラフィカル画像生成分析方法。
【請求項６】
前記合成グラフィカル状態が少なくとも１つのサブステートを含み、それぞれの合成グラフィカル状態に対して、前記命令シーケンスの実行中に現在の合成グラフィカル状態で既に規定されたサブステートを設定する試みがなされた回数をカウントするステップを含み、
前記出力信号を生成するステップ（Ｃ）が、それぞれの合成グラフィカル状態に対して、前記特徴を表す信号を生成して、前記命令シーケンスの実行中に前記現在の合成グラフィカル状態で既に規定されたサブステートを設定する試みがなされた前記回数を示すステップを含む請求項１に記載のグラフィカル画像生成分析方法。
【請求項７】
複数のプリミティブで形成されるグラフィカル画像を生成するコンピュータの命令シーケンスを分析するグラフィカル画像生成分析方法であって、それぞれの前記プリミティブは複数のサブステートによって規定される１つの合成のグラフィカル状態で表現され、前記コンピュータの命令シーケンスは、（ｉ）グラフィカルプリミティブを表現するプリミティブ描写命令と、（ｉｉ）合成グラフィカル状態を規定するサブステートを設定する状態設定命令とを含んでいて、
Ａ．現在の合成グラフィカル状態を決定するために、前記命令シーケンスの状態設定命令に応答するステップと、
Ｂ．デジタルデータ処理システムの記憶手段で、（ｉ）前記現在の合成グラフィカル状態と、（ｉｉ）前記プリミティブ描写命令によって表現されるプリミティブと、の識別を記憶するレコードの生成および更新の少なくとも一方を行うために、前記命令シーケンスのプリミティブ描写命令に応答するステップと、
Ｃ．前記命令シーケンスのグラフィカル画像生成特徴を表す信号を、少なくとも１つの前記レコードから生成するために、前記デジタルデータ処理システムの記憶手段にアクセスするステップとを含み、前記信号はプリミティブが表現される少なくとも１つの合成グラフィカル状態を示し、それぞれの前記合成グラフィカル状態に対して、少なくとも１つの前記プリミティブがその合成グラフィカル状態で表現される、グラフィカル画像生成分析方法。
【請求項８】
（ｉ）前記命令シーケンスの実行、および（ｉｉ）ソースコード形態の前記命令シーケンスの解釈のいずれかによって、前記命令シーケンス中の状態設定命令とプリミティブ描写命令とを識別するステップを含む請求項７に記載のグラフィカル画像生成分析方法。
【請求項９】
前記命令シーケンスのプリミティブ描写命令に応答するステップ（Ｂ）が、プリミティブが前記現在の合成グラフィカル状態で前に表現されているかどうかを決定するステップと、前記識別を記憶する新しいレコードを生成するために、前に表現されていないとの決定に応答するステップと、前記現在の合成グラフィカル状態の識別を記憶しているレコードにアクセスして、前記プリミティブ描写命令によって表現される前記プリミティブの識別を記憶するために前記レコードを更新するように、前に表現されているとの決定に応答するステップと、を含む請求項７に記載のグラフィカル画像生成分析方法。
【請求項１０】
最後の最も新しく表現されたプリミティブが、現在の合成状態と異なる合成状態で表現されたかどうか決定するステップと、表現されている場合は、前記最後の最も新しく表現されたプリミティブの合成グラフィカル状態と異なる合成グラフィカル状態で表現されたプリミティブの回数を反映するために、切替えカウンタを前記レコードで増分するステップと、を含む請求項９に記載のグラフィカル画像生成分析方法。
【請求項１１】
前記命令シーケンスの状態設定命令に応答するステップ（Ａ）が、前記状態設定命令で識別されたサブステートが既に前記現在の合成グラフィカル状態に含まれるかどうかを決定するステップと、前記現在の合成グラフィカル状態の識別を記憶し、前記現在の合成グラフィカル状態で既に規定されたサブステートを設定する試みがなされた回数を反映する冗長カウントを前記レコードで増分するために、含まれているとの決定に応答するステップと、を含む請求項７に記載のグラフィカル画像生成分析方法。